(57)【要約】【課題】  外字の作成、外字の互換性の保証および外字の作成機能を利用して電子署名の視認性を向上させることが可能な無線通信システムの提供。【解決手段】  携帯通信端末１は、外部に存在する外字を取得する撮影部５と、他の携帯通信端末２３またはサーバ２が保持する外字を取得する送受信部８と、撮影部５または送受信部８を介して得た外字イメージ１５を基に外字データ１３を生成する文字処理部７と、外字データ１３を保存するデータ保存部９とを含んでいる。さらに、文字処理部７は外字イメージ１５から電子署名データ１６を生成し、その電子署名データ１６を外字データ１３に含ませる機能を含み、これにより電子署名のアイコンとして外字を使用することを可能とする。【選択図】      図１
2008152681.tif 000002
【特許請求の範囲】
【請求項１】
１個または複数の携帯通信端末と、サーバとを含む無線通信システムであって、
前記携帯通信端末の各々は、外部より外字イメージを取得する外字取得手段と、
取得した外字イメージと、前記外字イメージの識別符号である外字ＩＤと、前記外字イメージから生成される電子署名データとを関連づけた外字データを生成する文字処理手段と、
前記外字データが保存されるデータ保存手段とを含むことを特徴とする無線通信システム。
【請求項２】
前記外字取得手段は、少なくとも、外字を撮影しイメージデータに変換する撮影部、および前記サーバまたは他の前記携帯通信端末と通信を行い外字データを送受信する送受信部のうちの一方であることを特徴とする請求項１記載の無線通信システム。
【請求項３】
前記電子署名データには公開鍵と秘密鍵のうち、前記公開鍵のみが含まれることを特徴とする請求項１または２記載の無線通信システム。
【請求項４】
前記送受信部を介して前記サーバまたは他の前記携帯通信端末から外字データを受信する場合は公開鍵および秘密鍵を新たに生成しないことを特徴とする請求項２記載の無線通信システム。
【請求項５】
前記送受信部を介して外字データを前記サーバまたは他の携帯通信端末に送信する場合、前記外字データに前記電子署名データを含めないことを特徴とする請求項２から４いずれかに記載の無線通信システム。
【請求項６】
１個または複数の携帯通信端末と、サーバとを含む無線通信システムにおける外字表示方法であって、
前記携帯通信端末の各々は、外部より外字イメージを取得する外字取得ステップと、
取得した外字イメージと、前記外字イメージの識別符号である外字ＩＤと、前記外字イメージから生成される電子署名データとを関連づけた外字データを生成する文字処理ステップと、
前記外字データが保存されるデータ保存ステップとを含むことを特徴とする外字表示方法。
【請求項７】
前記外字取得ステップは、少なくとも、外字を撮影しイメージデータに変換する撮影ステップ、および前記サーバまたは他の前記携帯通信端末と通信を行い外字データを送受信する送受信ステップのうちの一方であることを特徴とする請求項６記載の外字表示方法。
【請求項８】
前記電子署名データには公開鍵と秘密鍵のうち、前記公開鍵のみが含まれることを特徴とする請求項６または７記載の外字表示方法。
【請求項９】
前記送受信ステップを介して前記サーバまたは他の前記携帯通信端末から外字データを受信する場合は公開鍵および秘密鍵を新たに生成しないことを特徴とする請求項７記載の外字表示方法。
【請求項１０】
前記送受信ステップを介して外字データを前記サーバまたは他の携帯通信端末に送信する場合、前記外字データに前記電子署名データを含めないことを特徴とする請求項７から９いずれかに記載の外字表示方法。
【請求項１１】
１個または複数の携帯通信端末と、サーバとを含む無線通信システムにおける外字表示方法のプログラムであって、
前記携帯通信端末の各々に設けられ、コンピュータに、外部より外字イメージを取得する外字取得ステップと、
取得した外字イメージと、前記外字イメージの識別符号である外字ＩＤと、前記外字イメージから生成される電子署名データとを関連づけた外字データを生成する文字処理ステップと、
前記外字データが保存されるデータ保存ステップとを実行させるためのプログラム。
【請求項１２】
前記外字取得ステップは、少なくとも、外字を撮影しイメージデータに変換する撮影ステップ、および前記サーバまたは他の前記携帯通信端末と通信を行い外字データを送受信する送受信ステップのうちの一方であることを特徴とする請求項１１記載のプログラム。
【請求項１３】
前記電子署名データには公開鍵と秘密鍵のうち、前記公開鍵のみが含まれることを特徴とする請求項１１または１２記載のプログラム。
【請求項１４】
前記送受信ステップを介して前記サーバまたは他の前記携帯通信端末から外字データを受信する場合は公開鍵および秘密鍵を新たに生成しないことを特徴とする請求項１２記載のプログラム。
【請求項１５】
前記送受信ステップを介して外字データを前記サーバまたは他の携帯通信端末に送信する場合、前記外字データに前記電子署名データを含めないことを特徴とする請求項１２から１４いずれかに記載のプログラム。
【請求項１６】
１個または複数の携帯通信端末と、サーバとを含む無線通信システムにおける前記携帯通信端末であって、
外部より外字イメージを取得する外字取得手段と、
取得した外字イメージと、前記外字イメージの識別符号である外字ＩＤと、前記外字イメージから生成される電子署名データとを関連づけた外字データを生成する文字処理手段と、
前記外字データが保存されるデータ保存手段とを含むことを特徴とする携帯通信端末。
【請求項１７】
前記外字取得手段は、少なくとも、外字を撮影しイメージデータに変換する撮影部、および前記サーバまたは他の前記携帯通信端末と通信を行い外字データを送受信する送受信部のうちの一方であることを特徴とする請求項１６記載の携帯通信端末。
【請求項１８】
前記電子署名データには公開鍵と秘密鍵のうち、前記公開鍵のみが含まれることを特徴とする請求項１６または１７記載の携帯通信端末。
【請求項１９】
前記送受信部を介して前記サーバまたは他の前記携帯通信端末から外字データを受信する場合は公開鍵および秘密鍵を新たに生成しないことを特徴とする請求項１７記載の携帯通信端末。
【請求項２０】
前記送受信部を介して外字データを前記サーバまたは他の携帯通信端末に送信する場合、前記外字データに前記電子署名データを含めないことを特徴とする請求項１７から１９いずれかに記載の携帯通信端末。
【請求項２１】
１個または複数の携帯通信端末と、サーバとを含む無線通信システムにおける前記サーバであって、
前記携帯通信端末から送信される外字データを受信し、かつ自サーバが保持する外字データを前記携帯通信端末へ送信する送受信部と、
前記外字データが保存されるデータ保存手段とを含み、
前記携帯通信端末が保持する外字データは、取得した外字イメージと、前記外字イメージの識別符号である外字ＩＤと、前記外字イメージから生成される電子署名データとが関連づけられて構成されており、前記携帯通信端末から前記サーバへ前記外字データを送信する場合、前記電子署名データを含めないことを特徴とするサーバ。
【発明の詳細な説明】
【技術分野】
【０００１】
本発明は、無線通信システム、その外字表示方法および携帯通信端末ならびにサーバに関し、特に外字作成機能を有する無線通信システム、その外字表示方法および携帯通信端末ならびにサーバに関する。
【背景技術】
【０００２】
従来の無線通信システムにおける携帯通信端末の中には外字を表示する機能を備えたものがある。しかし、この種の携帯通信端末における外字はあらかじめ登録されているものしか利用できないという課題があった。また、これらの外字は携帯通信端末間で互換性が保証されていないため、送信先の携帯通信端末の機種が異なることで、表示される文字が送信者の意図した結果とならないという課題もあった。
【０００３】
そこで、これらの課題を解決するための発明の一例として、機器Ａで外字作成を行い、その外字を統一外字コードを含む外字コード利用テーブルとともに外部記憶装置１２ａへ記憶し、機器Ａ〜Ｃのいずれかで外字コード、外字コード利用テーブルを検索し、機器Ａ〜Ｃのいずれかから接続手段１３を介して外字イメージ情報を呼び出す発明が開示されている（特許文献１参照）。
【０００４】
また、他の一例として、クライアント装置２がサーバ装置１から外字フォントデータを取得する発明が開示されている（特許文献２参照）。
【０００５】
【特許文献１】特開平０６−０８３３０８号公報（段落００１８〜００２１、図１、図３および図５）
【特許文献２】特開２００２−３３４０７５号公報（段落００４０および図２）
【発明の開示】
【発明が解決しようとする課題】
【０００６】
一方、この種の携帯通信端末等では電子署名の機能を備えたものが存在するが、電子署名の表示に単一のアイコン（ｉｃｏｎ：画面上に表示する絵柄あるいは絵記号）が表示されるため、アイコンを確認しただけでは誰の電子署名であるかを識別することが難しいという課題があった。他方、上記特許文献１および２のいずれにもこの課題を解決する手段は開示されていない。
【０００７】
そこで、本発明の目的は外字の作成、外字の互換性の保証および外字の作成機能を利用して電子署名の視認性を向上させることが可能な無線通信システム、その外字表示方法および携帯通信端末ならびにサーバを提供することにある。
【課題を解決するための手段】
【０００８】
前記課題を解決するために本発明による無線通信システムは、１個または複数の携帯通信端末と、サーバとを含む無線通信システムであって、前記携帯通信端末の各々は、外部より外字イメージを取得する外字取得手段と、取得した外字イメージと、前記外字イメージの識別符号である外字ＩＤと、前記外字イメージから生成される電子署名データとを関連づけた外字データを生成する文字処理手段と、前記外字データが保存されるデータ保存手段とを含むことを特徴とする。
【０００９】
また、本発明による外字表示方法は、１個または複数の携帯通信端末と、サーバとを含む無線通信システムにおける外字表示方法であって、前記携帯通信端末の各々は、外部より外字イメージを取得する外字取得ステップと、取得した外字イメージと、前記外字イメージの識別符号である外字ＩＤと、前記外字イメージから生成される電子署名データとを関連づけた外字データを生成する文字処理ステップと、前記外字データが保存されるデータ保存ステップとを含むことを特徴とする。
【００１０】
また、本発明によるプログラムは、１個または複数の携帯通信端末と、サーバとを含む無線通信システムにおける外字表示方法のプログラムであって、前記携帯通信端末の各々に設けられ、コンピュータに、外部より外字イメージを取得する外字取得ステップと、取得した外字イメージと、前記外字イメージの識別符号である外字ＩＤと、前記外字イメージから生成される電子署名データとを関連づけた外字データを生成する文字処理ステップと、前記外字データが保存されるデータ保存ステップとを実行させることを特徴とする。
【００１１】
また、本発明による携帯通信端末は、１個または複数の携帯通信端末と、サーバとを含む無線通信システムにおける前記携帯通信端末であって、外部より外字イメージを取得する外字取得手段と、取得した外字イメージと、前記外字イメージの識別符号である外字ＩＤと、前記外字イメージから生成される電子署名データとを関連づけた外字データを生成する文字処理手段と、前記外字データが保存されるデータ保存手段とを含むことを特徴とする。
【００１２】
また、本発明によるサーバは、１個または複数の携帯通信端末と、サーバとを含む無線通信システムにおける前記サーバであって、前記携帯通信端末から送信される外字データを受信し、かつ自サーバが保持する外字データを前記携帯通信端末へ送信する送受信部と、前記外字データが保存されるデータ保存手段とを含み、前記携帯通信端末が保持する外字データは、取得した外字イメージと、前記外字イメージの識別符号である外字ＩＤと、前記外字イメージから生成される電子署名データとが関連づけられて構成されており、前記携帯通信端末から前記サーバへ前記外字データを送信する場合、前記電子署名データを含めないことを特徴とする。
【００１３】
次に、本発明の作用を述べる。本発明による携帯通信端末は、外部に存在する外字を取得する撮影部と、他の携帯通信端末またはサーバが保持する外字を取得する送受信部と、撮影部または送受信部を介して得た外字イメージを基に外字データを生成する文字処理部と、外字データを保存するデータ保存部とを含んでいる。
【００１４】
さらに、文字処理部は外字イメージから電子署名データを生成し、この電子署名データを外字データに含ませる機能を含み、これにより電子署名のアイコンとして外字を使用することを可能とする。
【発明の効果】
【００１５】
本発明によれば、上記構成を含むため、外字の作成、外字の互換性の保証および外字の作成機能を利用して電子署名の視認性を向上させることが可能となる。
【発明を実施するための最良の形態】
【００１６】
以下、本発明の実施例について添付図面を参照しながら説明する。図１は本発明に係る無線通信システムの最良の形態の構成図である。
【００１７】
同図を参照すると、本発明に係る無線通信システムの最良の形態は、携帯通信端末１と、サーバ２と、携帯通信端末２３−１〜２３−ｎ（ｎは正の整数）とを含んで構成される。
【００１８】
携帯通信端末１は、表示部３と、キー入力部４と、撮影部５と、アプリケーション部６と、文字処理部７と、送受信部８と、データ保存部９と、制御部２１と、プログラム格納部２２とを含んでいる。
【００１９】
表示部３は、図示しないディスプレー装置等に外字を含む文字を表示する。キー入力部４は、利用者の操作を受け付け、アプリケーション部６の制御を行う。撮影部５は、図示しないカメラデバイス等から入力された画像を撮影し、イメージデータに変換する。
【００２０】
アプリケーション部６は、外字を含む文字データを取り扱うアプリケーションである。例えば、テキストエディタやメーラ、ブラウザのようなアプリケーションが該当する。また、イメージデータから電子署名を生成および表示するアプリケーションも含んでいる。
【００２１】
文字処理部７は、外字データを新たに作成する機能およびデータ保存部９に登録されている外字データを検索および取り出す機能を含んでいる。
【００２２】
送受信部８はサーバ２および他の携帯通信端末２３−１〜２３−ｎの送受信部と通信を行い、外字データ等を送受信する。データ保存部９は、外字データを管理および保存する。
【００２３】
制御部２１は、表示部３、キー入力部４、撮影部５、アプリケーション部６、文字処理部７、送受信部８およびデータ保存部９を制御する。
【００２４】
プログラム格納部２２には、後述する外字表示方法のプログラムが格納されている。
【００２５】
なお、携帯通信端末２３−１〜２３−ｎの構成は上記携帯通信端末１と同様なので、その説明を省略する。
【００２６】
サーバ２は、送受信部１０と、文字処理部１１と、データ保存部１２とを含んで構成される。
【００２７】
送受信部１０は携帯通信端末１および２３−１〜２３−ｎの送受信部と通信を行い、外字データ等を送受信する。
【００２８】
文字処理部１１は、データ保存部１２に登録されている外字データを検索および取り出す機能を含んでいる。データ保存部１２は、外字データを管理および保存する。
【００２９】
次に、外字データの構成について説明する。図２は外字データの一例の構成図である。
【００３０】
同図を参照すると、外字データ１３は外字ＩＤ（ｉｄｅｎｔｉｆｉｃａｔｉｏｎ）１４と、外字イメージデータ１５と、電子署名データ１６とを含んで構成される。
【００３１】
外字ＩＤ１４は外字イメージデータ１５の識別符号であり、外字を検索する際に用いられる。
【００３２】
外字イメージデータ１５は外字の画像データである。
【００３３】
電子署名データ１６は電子署名を表示するデータで、外字イメージデータ１５から生成される。
【００３４】
ここで、電子署名について簡単に説明しておく。電子署名は、通常の印や署名の代わりに文書に付与されるものであり、文章の文責者を保証するものである。また、電子署名は認証局で発行される。
【００３５】
例えば、電子署名には公開鍵と秘密鍵（または非公開鍵）とが用いられる。印鑑に例えれば、秘密鍵は印鑑に相当し、公開鍵は印鑑照合に使用する台紙に相当する。
【００３６】
各ユーザは秘密鍵を秘密裡に保管し、公開鍵を他のユーザに公開する。したがって、ユーザの秘密鍵を知っているのはそのユーザ自身であるが、ユーザの公開鍵を知っているのは全てのユーザである。
【００３７】
メッセージと署名文とを受け取ったユーザは、署名生成アルゴリズムにこれらおよび公開鍵を入力して署名生成アルゴリズムを実行することにより署名文が正しいか否かを検証することができる。
【００３８】
さて、電子署名データ１６の説明に戻る。電子署名データ１６にはＰＫＩ（ｐｕｂｌｉｃ  ｋｅｙ  ｉｎｆｒａｓｔｒｕｃｔｕｒｅ：公開鍵暗号基盤）方式で暗号化に使用する公開鍵のみを含める。公開鍵に対応する秘密鍵はユーザ自身の端末に保存され、暗号を復号する際に利用される。
【００３９】
以上説明したように、本発明の最良の形態によれば、外字の作成、外字の互換性の保証および外字の作成機能を利用して電子署名の視認性を向上させることが可能となる。
【００４０】
以下、本発明に係る無線通信システムの動作の一例について説明する。
【実施例１】
【００４１】
図３は第１実施例の動作を示すフローチャートである。第１実施例は外字データ１３を携帯通信端末１に登録する方法に関するものである。外字データ１３を携帯通信端末１に登録する方法は２通りあり、第１実施例はそのうちの第１の方法である。
【００４２】
まず、世の中に既に存在する外字または自分で作成した外字を撮影部５で撮影する（ステップＳ１）。次に、撮影した外字を外字イメージ１５としてアプリケーション部６を介して取り込む（ステップＳ２）。
【００４３】
次に、文字処理部７にて携帯通信端末１固有の情報を使用して外字ＩＤ１４を作成する（ステップＳ３）。そして、文字処理部７にて外字イメージ１５から電子署名データ１６を生成する（ステップＳ４）。
【００４４】
次に、文字処理部７にて外字イメージ１５と、外字ＩＤ１４と、証明書である署名データ１６とを関連付けて外字データ１３としてデータ保存部９に保存する（ステップＳ５）。
【００４５】
なお、外字データ１３の新規作成時には公開鍵と秘密鍵を新たに生成する。鍵を生成する際には外字のイメージ情報から生成される。
【００４６】
以上説明したように、第１実施例によれば、新規な外字を撮影部５を介して携帯通信端末１へ登録することが可能となる。これにより、携帯通信端末１に予め登録されている外字以外に、利用者が使用できる外字の自由度を広げることが可能となる。その理由は外字を新規作成および登録する機能があるためである。
【００４７】
また、外字データ１３に電子署名データ１６を含めることにより、電子署名のアイコンに外字を使用することが可能となり、これにより電子署名の視認性を向上させることが可能となる。
【実施例２】
【００４８】
図４は第２実施例の動作を示すフローチャートである。第２実施例は外字データ１３を携帯通信端末１に登録する方法のうちの第２の方法である。
【００４９】
まず、サーバ２または他の携帯通信端末２３−１〜２３−ｎで作成した外字データ１３を送受信部８を介して受信する（ステップＳ１１）。
【００５０】
次に、文字処理部７を介してその外字データ１３をデータ保存部９に保存する（ステップＳ１２）。
【００５１】
なお、外字データ１３の取り込み時には公開鍵および秘密鍵を新たに生成しない。
【００５２】
以上説明したように、第２実施例によれば、新規な外字を送受信部８を介してサーバ２または他の携帯通信端末２３−１〜２３−ｎから携帯通信端末１へ登録することが可能となる。これにより、外字データ１３を交換および共有することで複数の携帯通信端末にて同じ外字を取り扱うことが可能となる。その理由は、外字ＩＤ１４により、外字データ１３を一意に識別する機能と、他の携帯通信端末２３−１〜２３−ｎやサーバ２との通信を利用するためである。
【００５３】
また、外字データ１３の取り込み時には公開鍵および秘密鍵を新たに生成しない構成であるため、電子データの文責者の誤認を防止することが可能となる。
【実施例３】
【００５４】
図５は第３実施例の動作を示すフローチャートである。第３実施例は外字データ１３を携帯通信端末１から他の携帯通信端末２３−１〜２３−ｎまたはサーバ２に転送する方法に関するものである。
【００５５】
まず、自分で生成しもしくは外部から取り込んだ外字データ１３を送受信部８を介して、他の携帯通信端末２３−１〜２３−ｎの送受信部８またはサーバ２の送受信部１０に送信する（ステップＳ２１）。
【００５６】
次に、他の携帯通信端末２３−１〜２３−ｎの送受信部８またはサーバ２の送受信部１０で外字データ１３を受信する（ステップＳ２２）。
【００５７】
次に、他の携帯通信端末２３−１〜２３−ｎの送受信部８またはサーバ２が文字処理部７または１１を介して外字データ１３をデータ保存部９または１２に保存する（ステップＳ２３）。
【００５８】
ただし、この場合外字データ１３は電子署名データ１６を含まないこととし、外字データ１３を認証や暗号化に使用することはできない。
【００５９】
以上説明したように、第３実施例によれば、外字データ１３を携帯通信端末１から他の携帯通信端末２３−１〜２３−ｎまたはサーバ２に転送することが可能となる。また、外字データ１３を他の携帯通信端末２３−１〜２３−ｎまたはサーバ２に転送する場合は、外字データ１３に電子署名データ１６を含ませない構成であるため、電子データの文責者の誤認を防止することが可能となる。
【実施例４】
【００６０】
図６は第４実施例の動作を示すフローチャートである。第４実施例は外字データ１３の表示方法に関するものである。
【００６１】
まず、アプリケーション部６が外字を表示する処理を開始する（ステップＳ３１）。
【００６２】
次に、外字ＩＤの一致する外字データがデータ保存部９に存在するか否かをアプリケーション部６から文字処理部７へ問い合わせる（ステップＳ３２）。
【００６３】
そして、該当する外字ＩＤがデータ保存部９に存在する場合は（ステップＳ３３にて“Ｙ”の場合）、アプリケーション部６は文字処理部７を介してデータ保存部９から外字データ１３を取得する（ステップＳ３４）。
【００６４】
次に、アプリケーション部６は外字イメージ１５を表示部３に表示する（ステップＳ３５）。
【００６５】
次に、アプリケーション部６は電子署名データ１６を利用して電子データの改竄チェック等を実行する（ステップＳ３６）。
【００６６】
一方、ステップＳ３３にて該当する外字ＩＤがデータ保存部９に存在しない場合は（ステップＳ３３にて“Ｎ”の場合）、アプリケーション部６はサーバ２または他の携帯通信端末２３−１〜２３−ｎに該当する外字ＩＤが存在するか否かを問い合わせる（ステップＳ３７）。
【００６７】
そして、サーバ２または他の携帯通信端末２３−１〜２３−ｎに該当する外字ＩＤが存在する場合（ステップＳ３８にて“Ｙ”の場合）、アプリケーション部６は送受信部８および文字処理部７を介して外字データ１３を取得する（ステップＳ３９）。次に、前述のステップＳ３５およびＳ３６を実行する。
【００６８】
一方、ステップＳ３８にてサーバ２または他の携帯通信端末２３−１〜２３−ｎに該当する外字ＩＤが存在しない場合（ステップＳ３８にて“Ｎ”の場合）、アプリケーション部６は外字データを表示しない等の処理を実行する（ステップＳ４０）。
【００６９】
以上説明したように、第４実施例によれば、携帯通信端末１は、自端末あるいはサーバ２もしくは他の携帯通信端末２３−１〜２３−ｎに所望の外字データが存在すればその外字イメージを表示部３に表示することが可能となる。
【実施例５】
【００７０】
第５実施例は外字表示方法のプログラムに関するものである。図１のプログラム格納部２２には、前述のとおり外字表示方法のプログラムが格納されている。このプログラムは図３〜６にフローチャートで示した手順を制御部２１（コンピュータ）に実行させるためのプログラムである。
【００７１】
制御部２１はプログラム格納部２２から外字表示方法のプログラムを読み出し、その手順に従って表示部３、キー入力部４、撮影部５、アプリケーション部６、文字処理部７、送受信部８およびデータ保存部９を制御する。その制御の内容は既に述べたのでここでの説明は省略する。
【００７２】
以上説明したように、第５実施例によれば、新規な外字を作成および登録する機能ならびに電子署名の視認性を向上させる機能を有するプログラムが得られる。
【産業上の利用可能性】
【００７３】
外字ＩＤ１４を使用した外字の検索方法については、携帯通信端末１で一意のＩＤではなく、サービス提供者等で管理するＩＤで行うことも可能である。
【図面の簡単な説明】
【００７４】
【図１】本発明に係る無線通信システムの最良の形態の構成図である。
【図２】外字データの一例の構成図である。
【図３】第１実施例の動作を示すフローチャートである。
【図４】第２実施例の動作を示すフローチャートである。
【図５】第３実施例の動作を示すフローチャートである。
【図６】第４実施例の動作を示すフローチャートである。
【符号の説明】
【００７５】
１、２３  携帯通信端末
２  サーバ
３  表示部
４  キー入力部
５  撮影部
６  アプリケーション部
７、１１  文字処理部
８、１０  送受信部
９、１２  データ保存部
１３  外字データ
１４  外字ＩＤ
１５  外字イメージデータ
２１  制御部
２２  プログラム格納部
【図１】
2008152681.tif 000003
【図２】
2008152681.tif 000004
【図３】
2008152681.tif 000005
【図４】
2008152681.tif 000006
【図５】
2008152681.tif 000007
【図６】
2008152681.tif 000008